(57)【要約】【課題】  回転刃の刃部周囲を囲む防護壁内に切屑等が留まって出ない場合に迅速に取り出すことが可能な壁紙糊付機用スリッターユニットを得る。【解決手段】  壁紙糊付機本体によって搬送される壁装材の側縁部を裁断する回転刃と、回転刃を軸支するシャフトと、シャフトを介して回転刃を回動する回転駆動手段とを備え、回転刃とシャフトとは前記回転駆動手段に着脱可能な回転刃内蔵カートリッジに収納され、回転刃内蔵カートリッジは、回転駆動手段に一端部を支持されたシャフトの他端部を枢支する側壁板と、側壁板からシャフトと略平行方向に立設されて回転刃の刃部周囲の３方を囲む防護壁と、回転刃で裁断された壁装材の側縁部を壁装材本体の搬送経路とは異なる糊付機本体の外側へ導出するガイド部材とを備え、ガイド部材に内部の回転刃の周囲を露出させる開閉扉を備えたものである。【選択図】      図５
0003143495.tif 000002
【実用新案登録請求の範囲】
【請求項１】
壁紙糊付機本体に着脱可能なスリッターユニットにおいて、
壁紙糊付機本体によって搬送される壁装材の側縁部を裁断する回転刃と、この回転刃を軸支するシャフトと、このシャフトを介して回転刃を回動する回転駆動手段とを備え、
前記回転刃と前記シャフトとは、前記回転駆動手段に着脱可能な回転刃内蔵カートリッジに収納され、
この回転刃内蔵カートリッジは、前記回転駆動手段に一端部を支持されたシャフトの他端部を枢支する側壁板と、この側壁板から前記シャフトと略平行方向に立設されて前記回転刃の刃部周囲の３方を囲む防護壁と、前記回転刃で裁断された壁装材の側縁部を壁装材本体の搬送経路とは異なる糊付機本体の外側へ導出するガイド部材とを備え、
このガイド部材に内部の回転刃の周囲を露出させる開閉扉を備えたことを特徴とする壁紙糊付機用スリッターユニット。
【請求項２】
壁紙糊付機本体に着脱可能なスリッターユニットにおいて、
壁紙糊付機本体によって搬送される壁装材の側縁部を裁断する回転刃と、この回転刃を軸支するシャフトと、このシャフトを介して回転刃を回動する回転駆動手段とを備え、
前記回転刃と前記シャフトとは、前記回転駆動手段に着脱可能な回転刃内蔵カートリッジに収納され、
この回転刃内蔵カートリッジは、前記回転駆動手段に一端部を支持されたシャフトの他端部を枢支する側壁板と、この側壁板から前記シャフトと略平行方向に立設されて前記回転刃の刃部周囲の３方を囲む防護壁と、前記回転刃で裁断された壁装材の側縁部を壁装材本体の搬送経路とは異なる糊付機本体の外側へ導出するガイド部材とを備え、
このガイド部材に内部の回転刃の周囲を露出させる開閉扉を備えており、
前記ガイド部材の開閉扉が開放された場合に前記回転刃の駆動を停止させる安全機構を更に備えたことを特徴とする壁紙糊付起用スリッターユニット。
【請求項３】
壁紙糊付機本体に着脱可能なスリッターユニットにおいて、
壁紙糊付機本体によって搬送される壁装材の側縁部を裁断する回転刃と、この回転刃を軸支するシャフトと、このシャフトを介して回転刃を回動する回転駆動手段とを備え、
前記回転刃と前記シャフトとは、前記回転駆動手段に着脱可能な回転刃内蔵カートリッジに収納され、
この回転刃内蔵カートリッジは、前記回転駆動手段に一端部を支持されたシャフトの他端部を枢支する側壁板と、この側壁板から前記シャフトと略平行方向に立設されて前記回転刃の刃部周囲の３方を囲む防護壁と、前記回転刃で裁断された壁装材の側縁部を壁装材本体の搬送経路とは異なる糊付機本体の外側へ導出するガイド部材とを備え、
このガイド部材に内部の回転刃の周囲を露出させる開閉扉を備えており、
前記ガイド部材の開閉扉が開放された場合に前記回転刃の駆動を停止させる安全機構を更に備え、
前記安全機構が、ガイド部材の開閉扉が閉鎖された場合にこの開閉扉に搭載された磁石の磁力によって前記回転駆動手段への給電回路を形成するリードスイッチを備えたことを特徴とする壁紙糊付起用スリッターユニット。
【考案の詳細な説明】
【技術分野】
【０００１】
本考案は、壁紙糊付機で壁装材に糊を塗布する際に使用する壁紙糊付機用スリッターユニットに関するものである。
【背景技術】
【０００２】
壁紙糊付機は、帯状に搬送されるシート状壁装材（以下、「クロス」とも記す）を後方から引き入れられて前方から引き出される間にこのシート状壁装材の裏面へ糊の塗布を行なうものである。この壁紙糊付機の本体部には、フック等で着脱自在に取付けたり、一体化して取付けられた壁装材裁断装置（スリッター）によって、シート状壁装材の側縁部をその搬送方向に沿って裁断し、所望の壁装材幅に調整していた。
【０００３】
従来の一般的な壁紙糊付機用のスリッターは、シート状壁装材の搬送方向に対して直交方向に沿って平行に設けられた上下シャフトの対向位置に、上下一対の回転刃を構成するオーバーカッター（上刃）とアンダーカッター（下刃）とがそれぞれ軸止されており、この一対のカッターが搬送されるシート状壁装材を上下から挟んで裁断する構成であった。
【０００４】
ところで、従来の壁装材施工法としては、重ね合わせ施工法、及び、突き合わせ施工法の２つの工法が代表的である。重ね合わせ施工法は、重ね切り施工法とも呼ばれ、隣り合う壁装材のジョイント部を数ｃｍ重ねた後に、両壁装材をカッター等の刃物で重ね裁断し、両壁装材の不要な部分を取り除いた後、ジョイントローラー等で納める施工法である。
【０００５】
一方、突き合わせ施工法は、突きつけ施工法とも呼ばれ、予め壁面に貼着した壁装材に別の壁装材を貼着する際に、隣接する壁装材同士の小口面を突き合わせて納める施工法である。
【０００６】
しかしながら、重ね合わせ施工法では、ジョイント部が比較的美しく仕上がるが、下地を直接切るために、下地表面が乾燥に伴う壁装材の縮みに追従できず、目透きや剥離クレームが発生することがあった。特に、下地材には石膏ボード等のように、糊付された壁装材を良好に貼着保持するため表面に紙材が貼着されている場合には、貼着後の壁装材の縮みによって下地材の紙材が両壁装材に引っ張られ、傷が入った部分が目透きとなって現れることがあった。
【０００７】
そこで、現状では、突き合わせ施工法が、内装施工法の主流となりつつあるが、貼着される壁装材の小口部に高い直線性及び平滑性が要求されることとなり、裁断小口部に高い直線性及び平滑性を得ることができる壁装材糊付用スリッターとして、１枚の回転刃によって壁装材を裁断することが提案され（例えば、特許文献１参照）、更に、回転刃の刃部周囲を囲む防護壁に開口部を形成させて、回転刃の切り屑がハウジング内に溜まることなく良好な裁断が維持できる壁紙裁断装置および裁断装置用回転刃内蔵カートリッジ等の工夫も提案されている（例えば、特許文献２参照）。
【０００８】
【特許文献１】特開２００２−１０３２７７号公報
【特許文献２】特開２００５−２４６９２７号公報
【考案の開示】
【考案が解決しようとする課題】
【０００９】
しかしながら、開口部を落下しない切屑も希にある。この場合、回転刃内蔵カートリッジ自体をスリッターから取り外し、回転刃の刃部の周囲を囲む防護壁を分解して落下しない切屑を取り出さざるを得ない課題があった。
【００１０】
本考案は、回転刃の刃部周囲を囲む防護壁内に切屑等が発生してカートリッジ内部から留まって出ない場合に迅速に取り出すことが可能な壁紙糊付機用スリッターユニットを得ることを目的とする。また、切屑等を取り出す際に不用意に回転刃が駆動しない安全機構手段を備えた壁紙糊付機用スリッターユニットを得ることを目的とする。
【課題を解決するための手段】
【００１１】
請求項１に記載された考案に係る壁紙糊付機用スリッターユニットは、壁紙糊付機本体に着脱可能なスリッターユニットにおいて、
壁紙糊付機本体によって搬送される壁装材の側縁部を裁断する回転刃と、この回転刃を軸支するシャフトと、このシャフトを介して回転刃を回動する回転駆動手段とを備え、
前記回転刃と前記シャフトとは、前記回転駆動手段に着脱可能な回転刃内蔵カートリッジに収納され、
この回転刃内蔵カートリッジは、前記回転駆動手段に一端部を支持されたシャフトの他端部を枢支する側壁板と、この側壁板から前記シャフトと略平行方向に立設されて前記回転刃の刃部周囲の３方を囲む防護壁と、前記回転刃で裁断された壁装材の側縁部を壁装材本体の搬送経路とは異なる糊付機本体の外側へ導出するガイド部材とを備え、
このガイド部材に内部の回転刃の周囲を露出させる開閉扉を備えていることを特徴とするものである。
【００１２】
請求項２に記載された考案に係る壁紙糊付機用スリッターユニットは、壁紙糊付機本体に着脱可能なスリッターユニットにおいて、
壁紙糊付機本体によって搬送される壁装材の側縁部を裁断する回転刃と、この回転刃を軸支するシャフトと、このシャフトを介して回転刃を回動する回転駆動手段とを備え、
前記回転刃と前記シャフトとは、前記回転駆動手段に着脱可能な回転刃内蔵カートリッジに収納され、
この回転刃内蔵カートリッジは、前記回転駆動手段に一端部を支持されたシャフトの他端部を枢支する側壁板と、この側壁板から前記シャフトと略平行方向に立設されて前記回転刃の刃部周囲の３方を囲む防護壁と、前記回転刃で裁断された壁装材の側縁部を壁装材本体の搬送経路とは異なる糊付機本体の外側へ導出するガイド部材とを備え、
このガイド部材に内部の回転刃の周囲を露出させる開閉扉を備えており、
前記ガイド部材の開閉扉が開放された場合に前記回転刃の駆動を停止させる安全機構を更に備えたことを特徴とするものである。
【００１３】
請求項３に記載された考案に係る壁紙糊付機用スリッターユニットは、壁紙糊付機本体に着脱可能なスリッターユニットにおいて、
壁紙糊付機本体によって搬送される壁装材の側縁部を裁断する回転刃と、この回転刃を軸支するシャフトと、このシャフトを介して回転刃を回動する回転駆動手段とを備え、
前記回転刃と前記シャフトとは、前記回転駆動手段に着脱可能な回転刃内蔵カートリッジに収納され、
この回転刃内蔵カートリッジは、前記回転駆動手段に一端部を支持されたシャフトの他端部を枢支する側壁板と、この側壁板から前記シャフトと略平行方向に立設されて前記回転刃の刃部周囲の３方を囲む防護壁と、前記回転刃で裁断された壁装材の側縁部を壁装材本体の搬送経路とは異なる糊付機本体の外側へ導出するガイド部材とを備え、
このガイド部材に内部の回転刃の周囲を露出させる開閉扉を備えており、
前記ガイド部材の開閉扉が開放された場合に前記回転刃の駆動を停止させる安全機構を更に備え、
前記安全機構が、ガイド部材の開閉扉が閉鎖された場合にこの開閉扉に搭載された磁石の磁力によって前記回転駆動手段への給電回路を形成するリードスイッチを備えたことを特徴とするものである。
【考案の効果】
【００１４】
本考案は、回転刃の刃部周囲を囲む防護壁内に切屑等が発生してカートリッジ内部から留まって出ない場合に迅速に取り出すことが可能な壁紙糊付起用スリッターユニットを得るという効果がある。。また、取り出す際に不用意に回転刃が駆動しない安全機構手段を備えた壁紙糊付起用スリッターユニットを得るという効果がある。
【考案を実施するための最良の形態】
【００１５】
本考案においては、糊付機本体によって搬送される壁装材の側縁部を裁断する回転刃と、この回転刃を軸支するシャフトと、このシャフトを介して回転刃を回動する回転駆動手段とを備え、
前記回転刃と前記シャフトとは、前記回転駆動手段に着脱可能な回転刃内蔵カートリッジに収納され、
この回転刃内蔵カートリッジは、前記回転駆動手段に一端部を支持されたシャフトの他端部を枢支する側壁板と、この側壁板から前記シャフトと略平行方向に立設されて前記回転刃の刃部周囲の３方を囲む防護壁と、前記回転刃で裁断された壁装材の側縁部を壁装材本体の搬送経路とは異なる糊付機本体の外側へ導出するガイド部材とを備え、
このガイド部材に内部の回転刃の周囲を露出させる開閉扉を備えているため、回転刃の刃部周囲を囲む防護壁内に切屑等が発生してカートリッジ内部から留まって出ない場合に迅速に取り出すことが可能となる。
【００１６】
即ち、本考案のスリッターユニットは、搬送される壁装材の側縁部を裁断する回転刃と、この回転刃を軸支するシャフトとを収納した回転刃内蔵カートリッジと、この回転刃内蔵カートリッジを着脱可能に取り付けられる回転駆動手段とからなる。この回転駆動手段としては、モーター単体でも可能であるが、モーターへの負荷を低減させるために複数のギアを組み合わせたギアユニットを介して取付けられる。これらモーター及びギアユニットはモーターブラケットを介して壁紙糊付起用スリッター本体に左右一組として取付けられる。
【００１７】
本考案の回転刃内蔵カートリッジは、回転駆動手段に一端部を支持されたシャフトの他端部を枢支する側壁板と、この側壁板から前記シャフトと略平行方向に立設されて前記回転刃の刃部周囲の３方を囲む防護壁と、前記回転刃で裁断された壁装材の側縁部を壁装材本体の搬送経路とは異なる糊付機本体の外側へ導出するガイド部材とからなる箱状組体の内部に回転刃を収納する。
【００１８】
本考案のガイド部材はカートリッジ内部の回転刃の周囲を露出させる開閉扉を備え、回転刃の刃部周囲を囲む防護壁内に切屑等が発生してカートリッジ内部から留まって出ない場合に、この開閉扉を開放して迅速に取り出すことが可能となる。
【００１９】
本考案の開閉扉としては、回転刃の刃部周囲を囲む防護壁内に切屑等が発生してカートリッジ内部から留まって出ない場合に、開放されてカートリッジ内部の回転刃の周囲を露出させるものであれば良い。例えば、一対の対向する溝を摺動する引戸状・鎧戸状や、支点部を中心に開閉する開き戸状の開閉扉が挙げられるが、後者の方が扉部材を紛失するおそれがなく、構成も単純であるため好ましい。
【００２０】
本考案のスリッターユニットでは、ガイド部材の開閉扉が開放された場合に回転刃の駆動を停止させる安全機構を更に備える。これにより、切屑等を取り出す際に不用意に回転刃が駆動しない。この安全機構としては、例えば、ガイド部材の開閉扉が閉鎖された場合にこの開閉扉に搭載された磁石の磁力によって前記回転駆動手段への給電回路を形成するリードスイッチを備える。これにより、従来のスリッターユニットと同等の形状寸法で安全機構を備えることが可能となり、既に市販されている従来のスリッターユニットと交換することも可能となる。
【実施例】
【００２１】
図１は壁紙糊付機用スリッターを備えた壁紙糊付機の簡略構成を示す説明図である。図１に示す通り、自動壁紙糊付機本体部１には、主なロールとして上部構体２内に糊付機本体部１内に後部側から取り込まれたクロス（壁装材）４に糊付機本体部１の前部方向への送り出し張力を付与するための押さえロール１１と、クロス４を上から押さえて追従回転するドライブロール１２とが互いに所定間隔で平行に配列されるように、それぞれ上部構体２の側板に軸支されている。
【００２２】
また、下部構体３内には、糊桶５内に収容されている糊を糊上げロール１６で糊上げし、これに当接して糊を転写し搬送されてくるクロス４の裏面に塗布する糊付ロール６と、糊付けロール６に接して糊量を調節するドクターロール７と、前記ドライブロール１２と共にクロス４に適度な張力を与えて前部方向へ送り出す均しロール８とが、互いに所定間隔を持って平行に配列されるように、下部構体３の側板に軸支されている。
【００２３】
また、クロス４は上部構体２の上部ピンチロール１３と、下部構体３の下部ピンチロール１５との引き込み力で糊付機本体１の背面側のスリッター２０を通って糊付機本体に引き込まれる。本実施例のスリッター２０は、図示しない駆動源をスリッター２０に内蔵しているものを示しているが、糊付機本体から得てもよい。
【００２４】
クロスの糊付施工は、糊付機脚部９から後方へ伸びているクロス受けブラケット１０の先端部に軸支されているクロス原反１４からクロス４先端を引き出し、スリッター２０の背面側から、寸動回動させてスリッター２０内部へ引き込みつつ、回転刃によって両耳部（側縁部）を裁断しながら、スリッター２０前方から引き出す。尚、両耳部は耳切ガイドから排出される。
【００２５】
スリッター２０の前方から引出された裁断されたクロス４の先端を、上部構体２を開けた状態で糊付機本体部１の前方から垂らすように下部構体３上に載置した後、上部構体２を閉めて所定ロール間に挟み込んだ初期設定状態を得る。
【００２６】
初期設定終了後、糊付機の駆動源モーターの駆動を開始すると共に、スリッター２０のモーターの駆動を開始する。これによって、クロス４のスリッター２０内の通過の際に回転刃の回転によって両耳部の裁断と、該裁断による幅調整後のクロス４の糊付機本体部１内での糊付が連続的に行われる。尚、スリッターの駆動源としては、モーターの駆動で行うように構成したが糊付機の駆動源の駆動をギア等で伝達してもよい。
【００２７】
図２はスリッターの構成を示す分解図である。図２に示されるように、スリッター２０は、断面が略コ字状の本体ハウジング２１とこの両側に配された本体側板２２とを備える。本体側板２２の各々には一対のフック２３が取付けられ、これらを糊付機本体１の背面へ引っ掛けることにより設置される。
【００２８】
本体ハウジング２１の天井面にはオーバステー２４が取付けられ、このオーバステー２４の両側にはスリッターユニット３０が各々内外にスライド可能に保持される。また、本体ハウジング２１の奥の縦内壁面の両側にはスライド可能に保持されたスリッターユニット３０を固定する固定ネジ３１の固定用のスリット溝２５が形成されている。
【００２９】
更に、本体側板２２の各々には、スリッターの下方でテンションバー２６によってクロスを挟んでテンションを発生させるテンションバー回動部材２７とこれの保持部材２８と、裁断面上で別のテンションバー（図示せず）を保持するテンションバー保持部材２９とが取付けられている。
【００３０】
図３は図２のスリッターに装着されるスリッターユニットの構成を示す分解図である。図４はスリッターユニットの斜視図である。図５はガイド部材の開閉扉が開放された状態を示す斜視図である。図６は図４の要部の構成を示す説明図である。図３〜図６に示す通り、スリッターユニット３０は、回転刃内蔵カートリッジとしてのカッターボックス３３とモーターブラケット３４とを備える。
【００３１】
カッターボックス３３は、壁装材当接側以外の回転刃４０周囲を側断面略コの字形状に覆う３面の防護壁（３３ａ，３３ｂ，３３ｃ）と、回転刃４０をボスを介して軸支するシャフト４２の一端を枢支する側壁板３３ｄとにより外形が略筐体形状に構成されている。カッターボックス３３の側壁板３３ｄには固定ブラケット３２が配されている。これらカッターボックス３３とモーターブラケット３４とはスリッター１の裁断面を形成しているハウジング２１内に設置される。これら防護壁（３３ａ，３３ｂ，３３ｃ）には、それぞれ指が入らない程度の幅のスリット状開口部Ｓが複数個ずつほぼ全壁面に亘って穿設されている。
【００３２】
カッターボックス３３は内部に回転刃４０が回転可能に軸支され、その前面には裁断後のクロス側端部をスリッタ本体外側へ導出するガイド部材４１が取り付けられている。その回転刃４０の裁断位置に至る部分には押さえ部材３９が装着されており、クロスを回転刃４０方向へ押さえる。このカッターボックス３３は更に回転刃４０のシャフト４２にモーターの回転軸が連結されたモーターブラケット３４内部の回転刃駆動手段としてのモーター３５にギアユニット３６及びギアユニットカバー３７を介して連結されている。
【００３３】
スリッターユニット３０を吊下げる吊下げ機構としては、前述のオーバステー２４にスライド可能に保持されるスライドブラケット３８にモーターブラケット３４を吊下することによる。更に、スリッターユニット３０を固定する固定機構としては、カッターボックス３３の側部に設けられた固定ブラケット３２に挿通される固定ネジ３１を本体ハウジング２１のスリット溝２５に緊締することによる。
【００３４】
回転刃４０のシャフト４２は、カッターボックス３３の固定ブラケット３２側の側壁板３３ｄにベアリング４３を介して取付けられる。回転刃４０は厚さが０．５ｍｍの片切刃であり、回転刃取付ボス４４にネジ４５で取付けられる。回転刃４０とこれを保持する回転刃取付ボス４４とを保持したシャフト４２は、ギアユニット３６の出力軸３６’に平爪部４２’で接続されており、バネ４６を介して装着されることにより、回転刃４０は常に外方向への押圧力が配されている。
【００３５】
一方、カッターボックス３３内のクロス裁断位置には、クロスを介した対向面側で回転刃４０のシャフト４２と略平行に配された取付軸５１に回動自在に軸支された回転部材５０を備える。
【００３６】
取付軸５１は軸先端部と取付け座金とを各々ガイド部材４１にネジで固定されている。この取付軸５１のガイド部材４１への取付け角度は回転刃４０のシャフト４２と略平行であるが、後述するように３度以上１０度以下、具体的には３度傾けて固定される。また、回転部材５０はベアリングを介して回動自在に取付軸５１に取付けられている。この回転部材５０は円筒状の構造である。また、回転部材５０の上面の平坦面部の一部が、裁断地点を端部とした回転刃４０の周縁部との部分的な重なり領域を構成するように配置されている。回転部材５０の取付軸５１にはバネ５２が介されており、回転部材５０を当接した回転刃４０の刃部に付勢・押圧している。
【００３７】
取付軸５１がシャフト４２に対して３度以上１０度以下、具体的には３度傾けて固定されているため、回転部材５０の平坦面部の回転刃４０の刃部に対する傾斜角度は３度以上１０度以下、具体的には３度となる。これにより、裁断される壁装材の裁断小口部に高い直線性及び平滑性を得ることができることは勿論のこと、厚手の織物壁装材や繊維を不規則に表層に備えた壁装材でも良好な裁断状態を得ることができる。また、取付軸５１自体を傾けて固定し、更にベアリングを介して回転部材と取付軸５１に軸支しているため、長期に亘って使用しても回転部材５０の平坦面部の回転刃４０の刃部に対する傾斜角度の変化が極力少なくなるという利点もある。
【００３８】
尚、回転部材５０は回転刃４０の径と比較して、１／３となっているため、押圧された回転刃４０の回転力によって、独自の駆動源を有さない回転部材５０を保持した取付軸５１が容易に回動することが可能となる。
【００３９】
また、回転部材５０は、回転刃４０に当接する部分がセラミック製の砥材からなる。このため、使用に伴って回転刃４０の刃部を研ぐことになり、回転刃４０の長期にわたる使用が可能となる。
【００４０】
ガイド部材４１には、図４〜図６に示す通り、部材の上縁部に形成された支点部を中心にしてカッターボックス３３の内部の回転刃４０の周囲を露出させる開閉扉４１ａを備える。開閉扉４１ａには磁石４１ｂが埋め込まれており、ガイド部材４１本体側には開閉扉４１ａを綴じた際の磁石４１ｂの対向位置にリードスイッチ４１ｃが埋め込まれている。
【００４１】
このリードスイッチ４１ｃは、ガイド部材４１の開閉扉４１ａが閉鎖された場合に、この開閉扉４１ａに搭載された磁石４１ｂの磁力によってモーター３５への給電回路を形成する。これにより、カッターボックス３３内に留まった切屑等を取り出す際に不用意に回転刃４０が駆動しない。尚、本考案のスリッターユニット２０及びカッターボックス３３では、既に市販されている従来のスリッターユニット及びカッターボックスと同等の寸法形状にすることが可能となり、従来のスリッターユニット及びカッターボックスと交換することにより、回転刃の刃部周囲を囲む防護壁内に切屑等が発生してカートリッジ内部から留まって出ない場合に迅速にしかも安全に取り出すことが可能となる。
【図面の簡単な説明】
【００４２】
【図１】壁紙糊付機用スリッターを備えた壁紙糊付機の簡略構成を示す説明図である。
【図２】スリッターの構成を示す分解図である。
【図３】図２のスリッターに装着されるスリッターユニットの構成を示す分解図である。
【図４】スリッターユニットの斜視図である。
【図５】図４のガイド部材の開閉扉が開放された状態を示す斜視図である。
【図６】図４の要部の構成を示す説明図である。
【符号の説明】
【００４３】
２０  …スリッター、
２５  …スリット溝、
３０  …スリッターユニット、
３２  …固定ブラケット、
３３  …カッターボックス（回転刃内蔵カートリッジ）、
３３ａ…防護壁、
３３ｂ…防護壁、
３３ｃ…防護壁、
３３ｄ…側壁板、
３４  …モーターブラケット、
３５  …モーター、
３６  …ギアユニット、
３６’…出力軸、
３７  …ギアユニットカバー、
３８  …スライドブラケット、
３９  …押さえ部材、
Ｓ  …スリット状開口部、
４０  …回転刃、
４１  …ガイド部材、
４１ａ…開閉扉、
４１ｂ…磁石、
４１ｃ…リードスイッチ、
４２  …シャフト、
４２’…平爪部、
４４  …回転刃取付ボス、
５０  …回転部材、
５１  …取付軸、
【図１】
0003143495.tif 000003
【図２】
0003143495.tif 000004
【図３】
0003143495.tif 000005
【図４】
0003143495.tif 000006
【図５】
0003143495.tif 000007
【図６】
0003143495.tif 000008